(57)【要約】【課題】従来よりも簡単に３次元形状から２次元形状を作成することができる設計支援プログラム及び設計支援装置を提供することを目的とする。【解決手段】設計支援プログラムが、設計支援プログラムに係る第１の解決手段として、複数の部品からなる構造物の３次元形状からなる３次元設計データに基づいて構造物の３次元形状を表示部に表示させる３次元形状表示処理と、表示部に表示された３次元形状の投影方向が操作部から入力されると、投影方向に対応する２次元形状を３次元設計データに基づいて作成する２次元形状作成処理とをコンピュータに実行させる。【選択図】図２
2011107889.tif 000002
【特許請求の範囲】
【請求項１】
複数の部品からなる構造物の３次元形状からなる３次元設計データに基づいて前記構造物の３次元形状を表示部に表示させる３次元形状表示処理と、
前記表示部に表示された３次元形状の投影方向が操作部から入力されると、前記投影方向に対応する２次元形状を前記３次元設計データに基づいて作成する２次元形状作成処理とを
コンピュータに実行させることを特徴とする設計支援プログラム。
【請求項２】
前記２次元形状作成処理が作成した２次元形状を前記表示部に表示させる２次元形状表示処理を
前記コンピュータに実行させることを特徴とする請求項１に設計支援プログラム。
【請求項３】
前記２次元形状作成処理は、前記３次元形状の前記投影方向とともに、２次元形状にする部品の指定（部品指定情報）及び指定された部品の作画範囲情報が操作部から入力されると、前記投影方向、前記部品指定情報及び前記作画範囲情報と、前記３次元設計データとに基づいて、前記投影方向、前記部品指定情報及び前記作画範囲情報に対応する２次元形状を作成することを特徴とする請求項１または２に記載の設計支援プログラム。
【請求項４】
前記２次元形状作成処理は、部品の指定とともに距離の指定が前記操作部に入力されると、当該部品を中心として前後左右上下方向の前記距離の範囲内の部品を切り出すクリッピング機能を有し、
クリッピング機能を実行した場合に、前記投影方向、前記部品指定情報、前記作画範囲情報及び切り出した範囲の上下左右前後の６方向の切り出し面の座標情報（切り出し面座標情報）と、前記３次元設計データとに基づいて、切り出した範囲内の部品の２次元形状を作成することを特徴とする請求項３に記載の設計支援プログラム。
【請求項５】
操作部と、
表示部と、
複数の部品からなる構造物の３次元形状からなる３次元設計データに基づいて前記構造物の３次元形状を表示部に表示させ、前記表示部に表示された３次元形状の投影方向が操作部から入力されると、前記投影方向に対応する２次元形状を前記３次元設計データに基づいて作成する情報処理手段とを具備することを特徴とする設計支援装置。
【請求項６】
前記情報処理手段は、前記２次元形状を前記表示部に表示させることを特徴とする請求項５に記載の設計支援装置。
【請求項７】
前記情報処理手段は、前記３次元形状の前記投影方向とともに、２次元形状にする部品の指定（部品指定情報）及び指定された部品の作画範囲情報が操作部から入力されると、前記投影方向、前記部品指定情報及び前記作画範囲情報と、前記３次元設計データとに基づいて、前記投影方向、前記部品指定情報及び前記作画範囲情報に対応する２次元形状を作成することを特徴とする請求項５または６に記載の設計支援装置。
【請求項８】
前記情報処理手段は、部品の指定とともに距離の指定が前記操作部に入力されると、当該部品を中心として前後左右上下方向の前記距離の範囲内の部品を切り出すクリッピング機能を有し、
クリッピング機能を実行した場合に、前記投影方向、前記部品指定情報及び前記作画範囲情報及び切り出した範囲の上下左右前後の６方向の切り出し面の座標情報（切り出し面座標情報）と、前記３次元設計データとに基づいて、切り出した範囲内の部品の２次元形状を作成することを特徴とする請求項７に記載の設計支援装置。
【発明の詳細な説明】
【技術分野】
【０００１】
本発明は、設計支援プログラム及び設計支援装置に関する。
【背景技術】
【０００２】
現在、プラント設計者は、３次元ＣＡＤ（Computer Aided Design）プログラムであるＰＤＭＳ（Plant Design Management System）プログラムを活用して、プラントの設計を行っている。このＰＤＭＳプログラムには、標準機能として、プラントの３次元形状データ及びその属性情報からなる３次元設計データを作成する為の設計ツールが搭載されている。ＰＤＭＳプログラムでは、部品の上記属性情報として、例えば、配管であれば、材質、メーカ名及び継手等を出力することが可能である。そして、ＰＤＭＳプログラムが出力した形状データに基づいて、３次元形状表示プログラムが、閲覧用のプラント全体の３次元形状を作成し、当該３次元形状の表示を行う。その際、３次元形状表示プログラムは、３次元形状のプラント及びプラント構成する各部品を３次元ポリゴンによって表現する。また、同時に３次元形状表示プログラムは、３次元形状の各部品毎の属性情報を表示する。そして、プラント設計者は、プラント全体の３次元形状あるいはプラントの各部品の属性を閲覧することによって、設計レビューを行ったり、また適切なプラント設計を行うことができる。
【発明の概要】
【発明が解決しようとする課題】
【０００３】
ところで、上記従来技術では、ＰＤＭＳプログラムが、設計されたプラントの各部品における形状データおよび属性情報を出力し、３次元形状表示プログラムが、形状データおよび属性情報に基づいてプラントの３次元形状を作成し、当該３次元形状を表示することによって、プラント設計者が、３次元形状を閲覧しながら、効率的にプラント設計を進めていくことができる。
【０００４】
しかしながら、上記従来技術では、３次元形状表示プログラムによって３次元形状を表示することができるが、その表示している３次元形状から建設現場に持ち入れる２次元の図面を作成したり、またその３次元形状上に複数の寸法線を描いたりすることができなかった。その為、プラント設計者は、建設現場に持ち入れる２次元の図面が必要な場合に、３次元形状表示プログラムを使用して３次元形状を閲覧した後に、わざわざＰＤＭＳプログラムを起動し、このＰＤＭＳプログラムによって２次元図面を作成するしかなかった。
【０００５】
本発明は、上述した事情に鑑みてなされたものであり、従来よりも３次元形状の閲覧後に簡略な操作で２次元形状を作成することができる設計支援プログラム及び設計支援装置を提供することを目的とする。
【課題を解決するための手段】
【０００６】
上記目的を達成するために、本発明では、設計支援プログラムに係る第１の解決手段として、複数の部品からなる構造物の３次元形状からなる３次元設計データに基づいて前記構造物の３次元形状を表示部に表示させる３次元形状表示処理と、前記表示部に表示された３次元形状の投影方向が操作部から入力されると、前記投影方向に対応する２次元形状を前記３次元設計データに基づいて作成する２次元形状作成処理とをコンピュータに実行させるという手段を採用する。
【０００７】
本発明では、設計支援プログラムに係る第２の解決手段として、上記第１の解決手段において、前記２次元形状作成処理が作成した２次元形状を前記表示部に表示させる２次元形状表示処理を前記コンピュータに実行させるという手段を採用する。
【０００８】
本発明では、設計支援プログラムに係る第３の解決手段として、上記第１または第２の解決手段において、前記２次元形状作成処理は、前記３次元形状の前記投影方向とともに、２次元形状にする部品の指定（部品指定情報）及び指定された部品の作画範囲情報が操作部から入力されると、前記投影方向、前記部品指定情報及び前記作画範囲情報と、前記３次元設計データとに基づいて、前記投影方向、前記部品指定情報及び前記作画範囲情報に対応する２次元形状を作成するという手段を採用する。
【０００９】
本発明では、設計支援プログラムに係る第４の解決手段として、上記第３の解決手段において、前記２次元形状作成処理は、部品の指定とともに距離の指定が前記操作部に入力されると、当該部品を中心として前後左右上下方向の前記距離の範囲内の部品を切り出すクリッピング機能を有し、クリッピング機能を実行した場合に、前記投影方向、前記部品指定情報、前記作画範囲情報及び切り出した範囲の上下左右前後の６方向の切り出し面の座標情報（切り出し面座標情報）と、前記３次元設計データとに基づいて、切り出した範囲内の部品の２次元形状を作成するという手段を採用する。
【００１０】
また、本発明では、設計支援装置に係る第１の解決手段として、操作部と、表示部と、複数の部品からなる構造物の３次元形状からなる３次元設計データに基づいて前記構造物の３次元形状を表示部に表示させ、前記表示部に表示された３次元形状の投影方向が操作部から入力されると、前記投影方向に対応する２次元形状を前記３次元設計データに基づいて作成する情報処理手段とを具備するという手段を採用する。
【００１１】
本発明では、設計支援装置に係る第２の解決手段として、上記第１の解決手段において、前記情報処理手段は、前記２次元形状を前記表示部に表示させるという手段を採用する。
【００１２】
本発明では、設計支援装置に係る第３の解決手段として、上記第１または第２の解決手段において、前記情報処理手段は、前記３次元形状の前記投影方向とともに、２次元形状にする部品の指定（部品指定情報）及び指定された部品の作画範囲情報が操作部から入力されると、前記投影方向、前記部品指定情報及び前記作画範囲情報と、前記３次元設計データとに基づいて、前記投影方向、前記部品指定情報及び前記作画範囲情報に対応する２次元形状を作成するという手段を採用する。
【００１３】
本発明では、設計支援装置に係る第４の解決手段として、上記第３の解決手段において、前記情報処理手段は、部品の指定とともに距離の指定が前記操作部に入力されると、当該部品を中心として前後左右上下方向の前記距離の範囲内の部品を切り出すクリッピング機能を有し、クリッピング機能を実行した場合に、前記投影方向、前記部品指定情報及び前記作画範囲情報及び切り出した範囲の上下左右前後の６方向の切り出し面の座標情報（切り出し面座標情報）と、前記３次元設計データとに基づいて、切り出した範囲内の部品の２次元形状を作成するという手段を採用する。
【発明の効果】
【００１４】
本発明によれば、複数の部品からなる構造物の３次元形状からなる３次元設計データに基づいて構造物の３次元形状を表示部に表示させる３次元形状表示処理と、表示部に表示された３次元形状の投影方向が操作部から入力されると、投影方向に対応する２次元形状を３次元設計データに基づいて作成する２次元形状作成処理とをコンピュータに実行させる。
このように、設計者は、３次元形状表示処理によって表示部に表示された３次元形状の投影方向を入力するだけで２次元形状を作成することができる、すなわち３次元形状の閲覧後に簡略な操作で２次元形状を作成することができる。
【図面の簡単な説明】
【００１５】
【図１】本発明の一実施形態に係る設計支援装置Ａによって構成される設計支援システムＳのシステム構成図である。
【図２】本発明の一実施形態に係る設計支援装置Ａの機能ブロック図である。
【図３】本発明の一実施形態に係る設計支援装置Ａの動作を示すフローチャートである。
【図４】本発明の一実施形態に係る設計支援装置Ａの３次元形状表示プログラム４ａが作成した３次元形状と、当該３次元形状を基に作成した２次元形状とを示す図である。
【図５】本発明の一実施形態に係る設計支援装置Ａの動作の変形例としてクリッピング機能を実行した場合の動作を示すフローチャートである。
【図６】本発明の一実施形態に係る設計支援装置Ａのクリッピング機能の実行前の３次元形状と、クリッピング機能の実行後の３次元形状とを示す図である。
【発明を実施するための形態】
【００１６】
以下、図面を参照して、本発明の一実施形態について説明する。本実施形態は、プラントの設計業務を支援する設計支援装置に関する。
図１は、本実施形態に係る設計支援装置Ａによって構成される設計支援システムＳのシステム構成図であり、図２は、本実施形態に係る設計支援装置Ａの機能ブロック図である。
まず、設計支援システムＳのシステム構成について、図１を参照して、説明する。設計支援システムＳは、設計支援装置Ａ、データ記憶サーバＢ及び通信ネットワークＣから構成されている。
【００１７】
設計支援装置Ａは、プラント設計用の３次元ＣＡＤ（Computer Aided Design）プログラムであるＰＤＭＳ（Plant Design Management System）プログラム（２次元形状作成処理）と、ＰＤＭＳプラグラムによって作成されたプラントの３次元形状データ及びその属性情報からなる３次元設計データに基づいて３次元形状を表示させる３次元形状表示プログラム（３次元形状表示処理）と、汎用的なＣＡＤプログラムであるＡｕｔｏＣＡＤ（登録商標）（２次元形状表示処理）とを実行することができるデスクトップ型またはノート型のパーソナルコンピュータである。
【００１８】
そして、３次元形状表示プログラムには、カスタマイズ機能として、ＰＤＭＳプログラムを使用して３次元形状から２次元形状ファイル（ＤＸＦ形式）を作成する機能が新たに搭載されている。また、ＰＤＭＳプログラムは、カスタマイズ機能として、２次元形状ファイルを作成すると、当該２次元形状ファイルをＡｕｔｏＣＡＤに表示させる機能が新たに搭載されている。なお、この制御処理の詳細については、設計支援装置Ａの動作として後述する。
【００１９】
データ記憶サーバＢは、ＰＤＭＳプログラムｂ１及び３次元設計データｂ２を記憶することを目的として設けられサーバであり、通信ネットワークＣを介して設計支援装置Ａに接続する。ＰＤＭＳプログラムｂ１は、通信ネットワークＣを介してデータ記憶サーバＢから設計支援装置Ａに読み取られ、設計支援装置Ａによって実行される。３次元設計データｂ２は、設計支援装置ＡによってＰＤＭＳプログラムｂ１上で作成され、データ記憶サーバＢに記憶される。
【００２０】
通信ネットワークＣは、ローカルエリアネットワーク及び／または公衆インターネットから構成され、設計支援装置Ａとデータ記憶サーバＢとを接続する。この通信ネットワークＣは、設計支援装置Ａとデータ記憶サーバＢの間の通信における伝送路である。
【００２１】
上記構成の設計支援システムＳの設計支援装置Ａの機能構成について、図２を参照して、説明する。設計支援装置Ａは、図２に示すように、表示部１、操作部２、通信Ｉ／Ｆ部３、外部記憶部４、主記憶部５及びＣＰＵ６を備えている。なお、主記憶部５及びＣＰＵ６が、本実施形態における情報処理手段を構成する。
【００２２】
表示部１は、ＣＲＴ（Cathode Ray Tube）ディスプレイまたは液晶ディスプレイであり、ＣＰＵ６の制御の下、各種画面を表示する。
操作部２は、マウス等のポインティングデバイス及びキーボードから構成され、ユーザから受け付けた操作指示をＣＰＵ６に出力する。
【００２３】
通信Ｉ／Ｆ部３は、ＣＰＵ６の制御の下、通信ネットワークＣを介してデータ記憶サーバＢに接続し、データ記憶サーバＢとの間で各種信号の送受信を行う。
外部記憶部４は、例えばフラッシュメモリまたはハードディスク等の外部記憶装置であり、ＣＰＵ６によって実行される３次元形状表示プログラム４ａ及びＡｕｔｏＣＡＤ４ｂ等の制御プログラムを記憶する。
【００２４】
主記憶部５は、ＲＯＭ（Read Only Memory）及びＲＡＭ（Random Access Memory）から構成されている主記憶装置であり、外部記憶部４に記憶されている制御プログラムをＣＰＵ６が実行する為に、ＣＰＵ６の制御の下、外部記憶部４の制御プログラムを記憶する。また、主記憶部５は、データ記憶サーバＢによって記憶されているＰＤＭＳプログラムｂ１をＣＰＵ６が実行する為に、ＣＰＵ６の制御の下、通信Ｉ／Ｆ部３を介してデータ記憶サーバＢのＰＤＭＳプログラムｂ１を記憶する。
【００２５】
ＣＰＵ６は、主記憶部５に記憶されている制御プログラム、操作部２から入力される操作指示に基づいて設計支援装置Ａの全体動作を制御する。そして、ＣＰＵ６は、ＰＤＭＳプログラムｂ１、３次元形状表示プログラム４ａ及びＡｕｔｏＣＡＤ４ｂを切り替えながら処理を実行する。なお、このＣＰＵ６の制御処理の詳細については、以下に設計支援装置Ａの動作として説明する。
【００２６】
次に、設計支援装置Ａの動作について、図３及び図４を参照して説明する。図３は、本実施形態に係る設計支援装置Ａの動作を示すフローチャートであり、図４は、本実施形態に係る設計支援装置Ａの３次元形状表示プログラム４ａが作成した３次元形状と、当該３次元形状を基に作成した２次元形状を示す図である。なお、図４の（ａ）が、２次元形状の基になる３次元形状を示し、図４の（ｂ）が、設計支援装置Ａが図４の（ａ）の３次元形状を基に作成した２次元形状を示している。
【００２７】
まず、プラント設計者は、設計支援装置ＡにＰＤＭＳプログラムｂ１を起動させ、ＰＤＭＳプログラムｂ１が提供する設計ツールを利用することで、プラントの３次元形状からなる３次元設計データｂ２を作成し、データ記憶サーバＢに記憶させる。
【００２８】
その後、プラント設計者は、設計したプラントの３次元形状を確認する為に、３次元形状表示プログラム４ａを設計支援装置Ａに起動させ、３次元形状表示プログラム４ａに３次元設計データｂ２から３次元形状を作成させるとともに当該３次元形状を表示部１に表示させる。さらに、プラント設計者は、表示部１が表示する３次元形状から２次元図面を作成する為に、操作部２のポインティングデバイスまたはキーボードを操作することによって、３次元形状表示プログラム４ａに２次元形状の作成を実行させる。
【００２９】
ＣＰＵ６は、３次元形状表示プログラム４ａの起動中に、操作部２の操作によって、２次元形状作成指示として３次元形状の投影方向、２次元形状にする部品の指定（部品指定情報）及び指定された部品の作画範囲情報を受け付けると、３次元形状表示プログラム４ａに従って、データ記憶サーバＢのＰＤＭＳプログラムｂ１を主記憶部５に記憶させ、主記憶部５のＰＤＭＳプログラムｂ１を起動する（ステップＳ１）。
【００３０】
なお、プラント設計者は、設計支援装置Ａにおいて、操作部２のポインティングデバイスの操作によって、３次元形状の姿勢を変更することで投影方向を指定し、また操作部２のポインティングデバイスの操作によって２次元形状にする部品を指定し、さらに操作部２の操作によって表示対象の移動及びズーミングすることで表示範囲を変更し、当該表示範囲を部品の作画範囲として指定する。これにより、図４の（ａ）に示すような、２次元形状の基になる３次元形状を指定することができる。
【００３１】
ＣＰＵ６は、ステップＳ１の後に、３次元形状表示プログラム４ａに従って、ステップＳ１において指定された投影方向、部品指定情報及び作画範囲情報をＰＤＭＳプログラムｂ１へ出力する（ステップＳ２）。ＣＰＵ６は、ステップＳ２の後に、ＰＤＭＳプログラムｂ１に従って、投影方向、部品指定情報及び作画範囲情報と、データ記憶サーバＢに記憶された３次元設計データｂ２とに基づいて、投影方向、部品指定情報及び作画範囲情報に対応する２次元形状を作成する（ステップＳ３）。なお、ＰＤＭＳプログラムｂ１は、部品指定情報として部品名称を受け取る。また、ＰＤＭＳプログラムｂ１は、作画範囲情報として、３次元形状が存在する３次元空間の原点から四角形の作画範囲までの最も近い距離（最小距離）及び最も遠い距離（最大距離）を受け取る。
【００３２】
ＣＰＵ６は、ステップＳ３において２次元形状の作成が完了すると、ＰＤＭＳプログラムｂ１に従って、外部記憶部４のＡｕｔｏＣＡＤ４ｂを主記憶部５に記憶させ、主記憶部５のＡｕｔｏＣＡＤ４ｂを起動し（ステップＳ４）、起動したＡｕｔｏＣＡＤ４ｂに従って、２次元形状を表示部１に表示させる（ステップＳ５）。このようにすることで、図４の（a）に示す３次元形状の２次元形状として、図４の（ｂ）に示すような２次元形状を作成するとともに２次元形状を表示部１に表示させることができる。
そして、プラント設計者は、ＡｕｔｏＣＡＤ４ｂの機能を利用することで、表示部１が表示する２次元形状に、複数の寸法線を書き込むことができる。
【００３３】
次に、上記図３の動作の変形例としてクリッピング機能を実行した場合の動作について、図５及び図６を参照して説明する。なお、クリッピング機能とは、部品の指定とともに切り出し範囲の距離の指定が前記操作部に入力されると当該部品を中心として前後左右上下方向の前記距離の範囲（立方空間）内の部品を切り出す機能である。
【００３４】
図５は、本実施形態に係る設計支援装置Ａの動作の変形例としてクリッピング機能を実行した場合の動作を示すフローチャートであり、図６は、本実施形態に係る設計支援装置Ａのクリッピング機能の実行前の３次元形状と、クリッピング機能の実行後の３次元形状を示す図である。なお、図６の（ａ）は、設計支援装置Ａのクリッピング機能の実行前の画面を示し、図６の（ｂ）は、設計支援装置Ａのクリッピング機能の実行後の画面を示している。
【００３５】
ＣＰＵ６は、３次元形状表示プログラム４ａの起動中に、操作部２のポインティングデバイス等の操作によって、３次元形状の投影方向、２次元形状にする部品の指定（部品指定情報）及び指定された部品の作画範囲情報とともにクリッピング機能実行指示として指定された部品の中心からの切り出し範囲の距離の指定を受け付けると、３次元形状表示プログラム４ａに従って、データ記憶サーバＢのＰＤＭＳプログラムｂ１を主記憶部５に記憶させ、主記憶部５のＰＤＭＳプログラムｂ１を起動する（ステップＳ１１）。
【００３６】
なお、プラント設計者は、操作部２のキーボードの操作によって部品の中心からの距離を数字で入力することで、切り出し範囲の距離の指定を行う。
これにより、図６の（ａ）に示す３次元形状から、図６の（ｂ）に示す３次元形状の指定された部品を中心とした前後左右上下方向の指定された距離の範囲内の部品を切り出すことができる。
【００３７】
ＣＰＵ６は、ステップＳ１１の後に、３次元形状表示プログラム４ａに従って、部品の中心座標と、ステップＳ１１において指定された距離から切り出した範囲である立方空間の上下左右前後の６方向の面（切り出し面）の座標を算出し（ステップＳ１２）、ステップＳ１１において指定された投影方向、部品指定情報、作画範囲情報及びステップＳ１２において算出した６方向の切り出し面の座標情報（切り出し面座標情報）をＰＤＭＳプログラムｂ１へ出力する（ステップＳ１３）。ＣＰＵ６は、ステップＳ１３の後に、ＰＤＭＳプログラムｂ１に従って、投影方向、部品指定情報、作画範囲情報及び切り出し面座標情報と、データ記憶サーバＢに記憶された３次元設計データｂ２とに基づいて、切り出した範囲内の部品の２次元形状を作成する（ステップＳ１４）。
【００３８】
そして、ＣＰＵ６は、２次元形状の作成が完了すると、ＰＤＭＳプログラムｂ１に従って、外部記憶部４のＡｕｔｏＣＡＤ４ｂを主記憶部５に記憶させ、主記憶部５のＡｕｔｏＣＡＤ４ｂを起動し（ステップＳ１５）、起動したＡｕｔｏＣＡＤ４ｂに従って、２次元形状を表示部１に表示させる（ステップＳ１６）。
【００３９】
以上のように、本実施形態に係る設計支援装置Ａでは、ＣＰＵ６が、３次元形状表示プログラム４ａに従って、２次元形状作成指示としての３次元形状の投影方向の指定、２次元形状にする部品の指定及び指定された部品の作画範囲情報を受け付けると、投影方向、部品指定情報及び作画範囲情報と、データ記憶サーバＢに記憶された３次元設計データｂ２とに基づいて、ＰＤＭＳプログラムｂ１に投影方向、部品指定情報及び作画範囲情報に対応する２次元形状を作成させる。このように、プラント設計者は、設計支援装置Ａの３次元形状表示プログラム４ａによって表示部１に表示された３次元形状の投影方向、部品の指定及び作画範囲情報を入力するだけで２次元形状を作成することができる、すなわち３次元形状の閲覧後に簡略な操作で２次元形状を作成することができる。
【００４０】
さらに、設計支援装置Ａでは、ＡｕｔｏＣＡＤ４ｂに従って、ＰＤＭＳプログラムｂ１が作成した２次元形状を表示する。そして、プラント設計者は、この２次元形状に複数の寸法線を追加することによって、建設現場に持ち込む為の図面を作成することができる。
【００４１】
以上、本発明の一実施形態について説明したが、本発明は上記実施形態に限定されることなく、例えば以下のような変形が考えられる。
（１）上記実施形態に係る設計支援装置Ａは、設計対象であるプラントの設計を支援するものであるが、本発明はこれに限定されない。
設計対象としてプラント以外の、各種機器または構造物の設計を支援する設計支援装置に、本発明を適用するようにしてもよい。
【００４２】
（２）上記実施形態に係る設計支援装置Ａが、ＰＤＭＳプログラムｂ１及びＡｕｔｏＣＡＤ４ｂを実行することで、２次元形状を作成したが、本発明はこれに限定されない。
例えば、設計支援装置Ａが、操作指示に従って、ＯｐｅｎＧＬ（登録商標）によって、３次元形状表示プログラム４ａ上の３次元形状をコピーし、コピーした３次元形状をＰＤＦ（Portable Document Format）作成プログラムに貼り付ける。これにより、ＰＤＦ作成プログラム上に３次元形状が再現され、この３次元形状の姿勢を所望の投影方向に変更し、寸法線を記入することで、上記実施形態と同様の図面を作成することができる。
【００４３】
（３）上記実施形態に係る設計支援装置Ａが、ＤＸＦファイル形式で２次元形状ファイルを作成したが、本発明はこれに限定されない。
例えば、ＤＷＧファイルを表示することができるプログラム（ＤＷＧ表示プログラム）が存在すれば、ＰＤＭＳプログラムｂ１が、ＤＷＧファイル形式の２次元形状ファイルを作成し、上記ＤＷＧ表示プログラムが、ＤＷＧファイル形式で２次元形状ファイルを表示するようにしてもよい。
【符号の説明】
【００４４】
Ｓ…設計支援システム、Ａ…設計支援装置、Ｂ…データ記憶サーバ、Ｃ…通信ネットワーク、ｂ１…ＰＤＭＳプログラム（２次元形状作成処理）、ｂ２…３次元設計データ、１…表示部、２…操作部、３…通信Ｉ／Ｆ部、４…外部記憶部、４ａ…３次元形状表示プログラム（３次元形状表示処理）、４ｂ…ＡｕｔｏＣＡＤ（２次元形状表示処理）、５…主記憶部、６…ＣＰＵ、
【図１】
2011107889.tif 000003
【図２】
2011107889.tif 000004
【図３】
2011107889.tif 000005
【図５】
2011107889.tif 000006
【図４】
2011107889.tif 000007
【図６】
2011107889.tif 000008